(57)【特許請求の範囲】
【請求項１】
放送内容である放送音声信号を再生する再生部と、
前記放送音声信号中の所定の区間である特定区間の放送音声信号を取り出す手段と、
該取り出された特定区間の放送音声信号を非可聴音域に周波数シフトする手段と、
前記非可聴音域に周波数シフトされた前記特定区間の放送音声信号と、前記再生された放送音声信号と、を合成して放音する放送処理部と、
を備えた放送装置。
【請求項２】
放送内容である放送音声信号に、前記放送音声信号中の特定区間を指示する音声信号である制御信号が合成された音声信号を再生する再生部と、
前記再生された音声信号から前記制御信号を検出する制御信号検出部と、
前記制御信号が指示する特定区間の前記放送音声信号を録音する録音部と、
前記録音部が録音した前記特定区間の放送音声信号を再生する特定区間再生部と、
特定区間再生部が再生した前記特定区間の放送音声信号を非可聴音域に周波数シフトする変調部と、
前記変調部によって周波数シフトされた前記特定区間の放送音声信号と、前記再生部によって再生された放送音声信号と、を合成して放音する放送処理部と、
を備えた放送装置。
【請求項３】
請求項１または請求項２に記載の放送装置と、
前記放送処理部が放音した音声信号を収音する収音部、前記収音部が収音した音声信号から前記周波数シフトされた前記特定区間の放送音声信号を抽出し可聴帯域に逆周波数シフトして放音する復調再生部を有する受信装置と、
を備えた放送システム。
【発明の詳細な説明】
【技術分野】
【０００１】
この発明は、電車の車内放送等の放送音声信号の重要なフレーズを繰り返し聴くことができる放送装置、受信装置および放送システムに関する。
【背景技術】
【０００２】
新幹線等の車内放送は、丁寧であるが、前後に挨拶や敬語が付加されているので冗長である。一方、車内放送の中で重要な内容である「次の停車駅」、「到着予定時刻」等は特に強調されることもなく、他の挨拶や敬語と同様に一度のみアナウンスされる。このため、乗客は、車内放送の挨拶等を聞いているうちに重要な事項を聞き逃してしまう可能性がある。
【先行技術文献】
【特許文献】
【０００３】
【特許文献１】特開２００８−０９７１７７号公報
【発明の概要】
【発明が解決しようとする課題】
【０００４】
なお、車内放送に関する技術はたとえば特許文献１等に記載があるが、上記のような重要な事項の聞き逃しを防止する技術は何ら提案されていない。
【０００５】
この発明は、車内放送等の放送音声信号の重要区間の聞き逃しを防止する放送装置、受信装置および放送システムを提供することを目的とする。
【課題を解決するための手段】
【０００６】
第１の発明である放送装置は、放送内容である放送音声信号を再生する再生部と、放送音声信号中の所定の区間である特定区間の放送音声信号を取り出す手段と、取り出された特定区間の放送音声信号を非可聴音域に周波数シフトする手段と、非可聴音域に周波数シフトされた特定区間の放送音声信号と、再生された放送音声信号と、を合成して放音する放送処理部と、を備えたことを特徴とする。
【００１０】
第２の発明である放送装置は、放送内容である放送音声信号に、前記放送音声信号中の特定区間を指示する音声信号である制御信号が合成された音声信号を再生する再生部と、前記再生された音声信号から前記制御信号を検出する制御信号検出部と、前記制御信号が指示する特定区間の前記放送音声信号を録音する録音部と、前記録音部が録音した前記特定区間の放送音声信号を再生する特定区間再生部と、特定区間再生部が再生した前記特定区間の放送音声信号を非可聴音域に周波数シフトする変調部と、前記変調部によって周波数シフトされた前記特定区間の放送音声信号と、前記再生部によって再生された放送音声信号と、を合成して放音する放送処理部と、を備えたことを特徴とする。
【００１１】
第３の発明である放送システムは、上記放送装置と、前記放送処理部が放音した音声信号を収音する収音部、前記収音部が収音した音声信号から前記周波数シフトされた前記特定区間の放送音声信号を抽出し可聴帯域に逆周波数シフトして放音する復調再生部を有する受信装置と、を備えたことを特徴とする。
【発明の効果】
【００１５】
この発明によれば、車内放送等の放送音声信号の特定区間に制御信号を合成することにより、この特定区間を繰り返し再生または所望のタイミングに再生することができる。特定区間として重要な文言がアナウンスされている区間を指定することにより、重要な事項の聞き逃しを防止することが可能になる。
【図面の簡単な説明】
【００１６】
【図１】この発明の実施形態である放送システムの構成を示す図
【図２】同放送システムの送信装置における制御信号の重畳・埋め込みの形態を説明する図
【図３】この発明の実施形態である送信装置の構成を示す図
【図４】この発明の実施形態である受信装置の構成を示す図
【図５】放送装置が放音する音声信号および受信装置が録音再生する音声信号の態様を説明する図
【図６】放送装置の他の実施形態を示す図
【図７】放送装置の他の実施形態を示す図
【図８】放送装置に記憶される案内文言の構成例を示す図
【図９】放送装置の他の実施形態を示す図
【図１０】放送装置から放音される音声信号の態様を説明する図
【図１１】受信装置の他の実施形態を示す図
【図１２】放送装置から放音される音声信号の態様を説明する図
【発明を実施するための形態】
【００１７】
図１はこの発明の実施形態である放送システムの構成を示す図である。このシステムは、鉄道の車内放送などの案内文言（いわゆるアナウンス）を放送する放送装置と、この案内文言の音声を受信してそのなかの重要区間を繰り返し（または適宜）再生する受信装置とで構成される。重要区間とは、たとえば鉄道の車内放送の場合、行き先、次の停車駅、到着予定時刻等の乗客にとって重要な文言の音声区間である。
【００１８】
図１（Ａ）、（Ｂ）はそれぞれ異なる形態の放送システムを示している。
同図（Ａ）の形態では、放送装置１が図５（Ａ）の形態の案内文言を放音する。案内文言には、案内文言中の重要区間の位置を指示する信号である制御信号が重畳または埋め込まれている。
【００１９】
ここで重畳とは、案内文言の周波数（たとえば０．３〜３．４ｋＨｚ）を超える一般人には聴こえない高音帯域（たとえば１４ｋＨｚ以上）に特定の信号を合成する方式である。特定の信号は、たとえばＭ系列信号等である。一方、埋め込みとは、案内文言の周波数帯域内に特定の信号を合成するかまたは案内文言の音声信号そのものを加工して制御信号として扱う等の方式である。ここで言う音声信号の加工とは、たとえば周波数スペクトルの変更等である。なお、以下の実施形態の説明では重畳方式を例にあげて説明するが、埋め込み方式も同様に適用可能である。
【００２０】
図２（Ａ）〜（Ｃ）は、重要区間に対する制御信号の重畳位置を示す図である。制御信号は、図２（Ｃ）に示すように、重要区間全体にわたって重畳してもよい。また、図２（Ａ）に示すように、重要区間の開始位置および終了位置に重畳してもよい。またさらに、図２（Ｂ）に示すように、重要区間の開始位置にその長さを示す情報とともに重畳してもよい。
【００２１】
また、制御情報を案内文言を録音した後に、録音音声に対して重畳する場合には、案内文言の先頭に重要区間の位置情報（開始位置および終了位置または開始位置および時間）を制御情報として重畳してもよい。
【００２２】
以下の説明では、図２（Ｃ）に示す重要区間全体にわたって制御信号を重畳する方式を例にあげて説明するが、他の方式も同様に適用可能である。
【００２３】
図１（Ａ）において、利用者（たとえば乗客）は、放送装置１から放送される案内文言を聴く。受信装置２は、案内文言を収音し、この案内文言に重畳されている制御信号を検出する。制御信号に基づいて案内文言中の重要区間を割り出し、この重要区間を録音する。受信装置２は、録音した重要区間を、繰り返しまたは利用者の再生操作に応じて再生する。利用者は、案内文言から重要区間を聞き逃したときやその内容を再度確認したいときなどに再生装置２から再生される重要区間を聴き直すことで、その内容を確認することができる。
【００２４】
また、図１（Ｂ）の形態では、放送装置１が図８の形態の案内文言を放送する。この案内文言には、案内文言中に重要区間の音声が一般人には聞こえない高音帯域に周波数シフトされて重畳されている。また、図１（Ａ）の形態と同様に、案内文言中の重要区間の位置を指示する制御信号が重畳または埋め込まれていてもよい。
【００２５】
利用者（たとえば乗客）は、放送装置１から放送される案内文言を聴く。受信装置２は、放送された案内文言に重畳されている周波数シフトされた重要区間の音声を収音し、この重要区間の音声を復調（周波数シフトを解除）して放音する。利用者は、案内文言から重要区間を聞き逃したときやその内容を再度確認したいときなどに再生装置２から再生される重要区間を聴き直すことで、その内容を確認することができる。
【００２６】
以下、図３〜図８を参照して図１（Ａ）の形態について詳細に説明する。  
図３は放送装置１の構成を示す図である。放送装置１は、マイク１０、スイッチ１１、マイクアンプ１２、制御信号発生部１３、加算部１４、放音部１５およびスピーカ１６を有している。この放送装置は、たとえば新幹線等の車両の車内放送の装置である。係員（たとえば車掌）は、マイク１０に向けて案内文言（たとえば到着時刻や乗換案内）をアナウンスする。この音声は、マイク１０で収音され、加算部１４を介して放音部１５に入力され、放音部１５で増幅されてスピーカ１６により空間放音される。
【００２７】
係員は、案内文言をアナウンスしつつ、重要区間をアナウンスしている間はスイッチ１１をオンする。このスイッチ操作に応じて、制御信号発生部１３が制御信号を発生する。制御信号は、加算部１４で案内文言の音声信号に重畳され、放音部１５に入力され、案内文言と一緒にスピーカ１６から空間放音される。
【００２８】
図４は受信装置の構成を示す図である。受信装置は、マイク２０、ローパスフィルタ（ＬＰＦ）２１、ハイパスフィルタ（ＨＰＦ）２２、録音部２３、制御信号検出部２４、再生部２５、スピーカ２６を備えている。マイク２０は、図３の放送装置１から放送された案内文言を収音する。マイク２０で収音された案内文言はローパスフィルタ２１およびハイパスフィルタ２２に入力される。ローパスフィルタ２１は案内文言の周波数（たとえば０．３〜３．４ｋＨｚ）を通過させるフィルタであり、カットオフ周波数は８０００Ｈｚ程度で十分である。ハイパスフィルタ２２は、案内文言をカットして制御信号を通過させるフィルタであり、カットオフ周波数は１４０００Ｈｚ程度である。
【００２９】
ローパスフィルタ２１で制御信号の周波数帯域をカットされた案内文言は録音部２３に入力される。録音部２３は、制御信号検出部２４から入力される録音指示信号に応じて、案内文言の一部（重要区間）を録音する。
【００３０】
ハイパスフィルタ２２で抽出された高音帯域成分は、制御信号検出部２４に入力される。制御信号検出部２４は、ハイパスフィルタ２２から入力された高音帯域成分から制御信号を検出する。制御信号検出部２４は、制御信号を検出すると録音部２３に対して録音指示信号を出力する。録音指示信号は、重要区間の開始位置から終了位置の時間帯にわたって出力される。録音部２３は、この録音指示信号が入力されている期間だけ案内文言を録音する。
【００３１】
録音部２３が録音した案内文言である重要区間の音声は再生部２５によって再生され、スピーカ２６から放音される。再生部２５は、録音部２３が録音した重要区間の音声を繰り返し再生する。
【００３２】
図５は、放送装置１から放送される制御信号が重畳された案内文言、および、受信装置２の重要区間の繰り返し再生の態様を示す図である。同図（Ａ）は、放送装置１が放送する案内文言の態様を示す図である。案内文言１００の重要区間１００Ａに対応する位置には制御信号１０１が重畳されている。同図（Ｂ）は、受信装置が放音する音声の態様を示している。受信装置２は、制御信号１０１を検出するとその区間（重要区間１００Ａ）を録音し、その直後からこの録音した音声（重要区間１０１）を再生音声１１０として繰り返し再生する。
【００３３】
なお、受信装置２に、図４に点線で示すように再生スイッチ２７を設け、録音した重要区間１０１の音声を繰り返し再生させずに、利用者が再生スイッチ２７をオンしたときのみ再生させるようにしてもよい。
【００３４】
なお、受信装置２は、たとえば、利用者（たとえば乗客）が携帯する装置として構成される。携帯電話機や携帯音楽プレイヤーの機能の一部として組み込んでもよい。また、新幹線等電車の車内アナウンス用として受信装置２を設ける場合には、車内設備として座席の壁面や肘掛けに組み込んでもよい。
【００３５】
図３の放送装置１は、マイク１０を備え、係員が直接案内文言をアナウンスする構成であったが、予め案内文言を録音しておき、これを再生する放送装置にもこの発明を適用することが可能である。
【００３６】
図６、図７は、録音された案内文言を再生する方式の放送装置の構成を示す図である。
【００３７】
図６は、図３の放送装置１のマイク１０、マイクアンプ１２を記憶部３０および再生部３１に置き換えた放送装置１の例を示す図である。この図において、図３に示した放送装置１と同一構成の部分は同一番号を付して説明を省略する。記憶部３０には予め録音された案内文言が記憶されている。再生部３１は、記憶部３０に記憶されている案内文言を再生する。どのタイミングでどの案内文言を再生するかは、再生指示部３２によって指示される。再生指示部３２は、たとえば係員が操作するボタンスイッチ等を有している。
【００３８】
再生指示部３２から案内文言の再生が指示されると、再生部３１は指定された案内文言を再生する。これにより、指定された案内文言が加算部１４、放音部１５を介してスピーカ１６から放音される。係員はこの案内文言を聴きながら、案内文言が重要区間になるとスイッチ１１をオンする。これにより、制御信号発生部１３が制御信号を発生し、加算部１４により、図５（Ａ）に示したように案内文言に重畳されて放音される。
【００３９】
図７は、放送装置１と録音装置３とを分離した例を示す図である。録音装置３は、予め制御信号が重畳された案内文言を録音する装置である。放送装置１は所定のタイミングで予め録音されている（制御信号が重畳された）案内文言を再生・放音する装置である。
【００４０】
図７（Ａ）は、録音装置３の構成を示す図である。録音装置３は、マイク４０、スイッチ４１、マイクアンプ４２、制御信号発生部４３、加算部４４および録音部４５を有している。録音担当者は、マイク４０に向けて案内文言をアナウンスするとともに、重要区間をアナウンスしている間はスイッチ４１をオンする。マイク４０で収音された案内文言の音声信号は加算部４４に入力される。制御信号発生部４３は、録音担当者のスイッチ４１の操作に応じて制御信号を発生する。この制御信号は加算部４４に入力される。加算部４４は、案内文言の音声信号に制御信号を重畳して録音部４５に入力する。録音部４５は、加算部４４から入力された制御信号が重畳された案内文言を録音する。これにより、録音部４５では、図５（Ａ）に示したように制御信号が重畳された案内文言が録音される。録音された内容（音声ファイル）は、ＣＤ−ＲＯＭやＳＤメモリ等の媒体で取り出され、放送装置１の記憶部４６（図７（Ｂ）参照）にセットされる。
【００４１】
図７（Ｂ）は、放送装置１の構成を示す図である。記憶部４６には録音装置３で予め録音された案内文言が記憶された媒体がセットされる。再生部４７は、記憶部４６に記憶されている案内文言を再生する。どのタイミングでどの案内文言を再生するかは、再生指示部４８によって指示される。再生指示部４８は、たとえば係員が操作するボタンスイッチ等を有している。再生指示部４８から案内文言の再生が指示されると、再生部４７は指定された案内文言を再生する。これにより、指定された（制御信号が重畳された）案内文言がスピーカ１６から放音される。
【００４２】
図７の構成において、１つの案内文言を連続した１つの音声ファイルとして録音するのではなく、図８に示すように、連結して１つの案内文言になる複数の単語に分割して録音してもよい。この場合に、重要区間の語句を入れ換えて、複数の案内文言に転用できるようにしてもよい。
【００４３】
図８の例では、「次の停車駅≪駅名≫には≪○○時≫≪○○分≫に到着予定です」の案内文言を録音するとき、「次の停車駅」、「には」、「に到着予定です」を個別に録音し、さらに、≪駅名≫にはめ込む複数の駅名（浜松、大阪など）、および、≪○○時≫、≪○○分≫にはめ込む時、分の文言をそれぞれ別途録音する。且つ、この≪駅名≫、≪○○時≫、≪○○分≫にはめ込まれる文言は重要区間であるため、これらの文言には予め制御信号を重畳しておく。
【００４４】
そして、このように録音された語句を放送装置１の再生部４７で組み合わせて組み合わせて再生することで、重要区間に制御信号が重畳された１つの案内文言として再生・放音することができる。
【００４５】
なお、このように重要区間が複数ある場合、各重要区間に同じ制御信号を重畳してもよく、また、各重要区間の制御信号にデジタル変調を加えてそれぞれ異なるＩＤを持たせてもよい。
【００４６】
また、受信装置２においては、複数の重要区間を、たとえば「浜松・１０時・４０分」のように順番に再生してもよく、利用者の操作に応じて指定された重要区間を再生するようにしてもよい。
【００４７】
以上は図１（Ａ）の構成の放送システムについて説明したが、以下図１（Ｂ）の構成の放送システムについて説明する。
【００４８】
図９は、放送時に重要区間の音声信号を案内文言に重畳して放音する放送装置１の構成を示す図である。また、図１０は再生部５６による重要区間の再生の態様および変調部５７による周波数シフトの態様を説明する図である。
【００４９】
この放送装置１は、制御信号１０１が案内文言１００の重要区間１０１Ａに対応する箇所に予め重畳されている音声ファイル（以下、単に案内文言と呼ぶ）を記憶した記憶部５０からこの案内文言を読み出し、この案内文言に制御信号に対応する重要区間の文言を重畳して放音する装置である。
【００５０】
この放送装置１は、記憶部５０、再生部５１、ローパスフィルタ（ＬＰＦ）５２、ハイパスフィルタ（ＨＰＦ）５３、制御信号検出部５４、録音部５５、再生部５６、変調部５７、加算部５８、放音部５９、スピーカ６０、および、再生指示部６１を備えている。記憶部５０には予め録音され、重要区間に制御信号が重畳された案内文言が記憶される。再生部５１は、記憶部５０に記憶されている案内文言を再生する。どのタイミングでどの案内文言を再生するかは、再生指示部６１によって指示される。再生指示部６１は、たとえば係員が操作するボタンスイッチ等を有している。再生指示部６１から案内文言の再生が指示されると、再生部５１は指定された（制御信号が重畳された）案内文言を再生する。再生された案内文言はローパスフィルタ５２およびハイパスフィルタ５３に入力される。
【００５１】
ローパスフィルタ５２は案内文言の周波数を通過させるフィルタである。ハイパスフィルタ５３は、案内文言をカットして制御信号を通過させるフィルタである。ローパスフィルタ５２で制御信号の周波数帯域をカットされた案内文言は加算部５８および録音部５５に入力される。録音部５５は、後述の制御信号検出部５４から入力される録音指示信号に応じて、案内文言の一部である重要区間を録音する。
【００５２】
一方、ハイパスフィルタ５３で抽出された高音帯域成分は、制御信号検出部５４に入力される。制御信号検出部５４は、ハイパスフィルタ５３から入力された高音帯域成分から制御信号を検出する。制御信号検出部５３は、制御信号を検出すると録音部５５に対して録音指示信号を出力する。録音指示信号は、重要区間の開始位置から終了位置の時間帯にわたって出力される。録音部５５は、この録音指示信号が入力されている期間だけ案内文言を録音する。
【００５３】
録音部５５が録音した重要区間の音声は再生部５６によって、繰り返し再生される。繰り返しの再生された重要区間の音声は変調部５７に入力される。変調部５７は重要区間の音声を非可聴帯域である高音域に周波数シフト（変調）して加算部５８に出力する。加算部５８は、案内文言と変調された重要区間の音声とを加算合成して放音部５９に出力する。ここで、重要区間の音声信号は、図１０の再生音声２００Ａに示すようなタイミングで繰り返し再生され、図示のような周波数帯域に周波数シフトされて出力される。放音部５９は、案内文言および変調された重要区間の音声が加算された音声信号を増幅してスピーカ６０に入力して放音させる。
【００５４】
図１１は、図９の送信装置１が放音する案内文言を受信して重要区間の音声を再生する受信装置２のブロック図である。受信装置２は、マイク７０、ハイパスフィルタ（ＨＰＦ）７１、復調部７２、放音部７３およびスピーカ７４を備えている。
【００５５】
マイク７０は、図９の放送装置１から放送された案内文言を収音する。マイク７０で収音された案内文言はハイパスフィルタ７１に入力される。ハイパスフィルタ２２は、案内文言をカットして変調された重要区間の音声信号が周波数シフトされている非可聴の高音帯域成分を通過させるフィルタである。カットオフ周波数はシフトされた周波数に応じて決定されるが、たとえば１４０００Ｈｚ程度である。
【００５６】
ハイパスフィルタ７１で抽出された高音帯域成分は、復調部７２に入力される。復調部７２は、周波数シフトされた重要区間の音声信号を逆に周波数シフトして可聴帯域の通常の音声信号に復調する機能部である。復調された重要区間の音声信号は放音部７３に入力される。放音部７３は復調部から入力された重要区間の音声信号を増幅してスピーカ７４に入力する。これにより、放送装置１が非可聴帯域に周波数シフトして放音した重要区間の音声信号が可聴帯域の音声としてスピーカ７４から放音される。
【００５７】
以上の構成により、音声信号として制御信号を重畳した案内文言を読み出し、制御信号に基づいて重要区間を抽出・変調且つ重畳して案内文言を放音することが可能になる。したがって、案内文言に音声信号以外のタグ等のサブ情報を埋め込まなくても重要区間の抽出が可能になる。
【００５８】
なお、図９に示した放送装置１が、予め制御信号が重畳された案内文言から重要区間を抽出、変調且つ重畳して放音する場合、案内文言を放音前に先読みして重要区間を予め録音しておき、図１２に示すように案内文言の最初から重要区間を変調、重畳して放音するようにしてもよい。
【００５９】
なお、図１０、図１２では、重要区間の音声信号１１１を、制御信号１０１よりも高い周波数帯域に周波数シフトするように記載しているが、放送装置１においてローパスフィルタ５２で制御信号１０１をカットする場合には、重要区間の音声信号１１１の周波数帯域と制御信号１０１の周波数帯域が重なっていてもよい。また、放送装置１のローパスフィルタ５２は無くてもよく、その場合には、図１０、図１２に示すように、制御信号１０１の周波数帯域と周波数シフトされた重要区間の音声信号１１１の周波数帯域とが重ならないようにする。
【００６０】
なお、重要区間が複数ある場合、各重要区間を順次重畳してもよく、また、高音域の周波数帯域を分割して複数の重要区間を帯域別に重畳するようにしてもよい。複数の重要区間を帯域別に重畳する場合、受信装置２は、複数の重要区間を順番に再生してもよく、利用者の操作に応じて指定された帯域の重要区間を再生するようにしてもよい。
【００６１】
また、図９の放送装置１では、再生部５６が再生した重要区間の音声信号を変調しているが、録音時に変調しておき、変調された重要区間の音声信号を再生して直接加算部５８に入力するようにしてもよい。
【符号の説明】
【００６２】
１  放送装置
２  受信装置
１３  制御信号発生部
２４  制御信号検出部
【図１】
0005526937.tif 000002
【図２】
0005526937.tif 000003
【図３】
0005526937.tif 000004
【図４】
0005526937.tif 000005
【図５】
0005526937.tif 000006
【図６】
0005526937.tif 000007
【図７】
0005526937.tif 000008
【図８】
0005526937.tif 000009
【図９】
0005526937.tif 000010
【図１０】
0005526937.tif 000011
【図１１】
0005526937.tif 000012
【図１２】
0005526937.tif 000013